(57)【要約】【課題】人為的に時間や労力を費やした調整操作及び補正の誤差を回避することができる照射光線の点および線を同期して表示する装置を提供する。【解決手段】  電源に接続されて照射光線１１を生成する光源発生器１と、当該光源発生器１の照射光線１１を受けて、所定幅の光ビーム２１を送出するレンズモジュール２と、外径面上に軸線と平行に所定幅の屈折鏡面３０が切設されて、当該レンズモジュール２が送出した光ビーム２１の投射経路を当該屈折鏡面３０が予め設定された角度で偏向させるロッドレンズ３０とを備える照射光線の点および線を同期して表示する装置であり、当該光ビーム２１は当該ロッドレンズ３を介して屈折して透過光線２２として対象上に投射表示されて光照射基準線３１を呈し、当該屈折鏡面３０に投射した光ビーム２１は屈折光線２３となって対象上に投射表示されて光照射基準点３２を呈する。【選択図】図１
2009288237.tif 000002
【特許請求の範囲】
【請求項１】
主に、
電源に接続されて照射光線を生成する光源発生器と、
当該光源発生器の照射光線を受けて、所定幅の光ビームを送出するレンズモジュールと、
外径面上に軸線と平行に所定幅の屈折鏡面が切設されて、当該レンズモジュールが送出した光ビームの投射経路を当該屈折鏡面が予め設定された角度で偏向させるロッドレンズであり、当該光ビームは当該ロッドレンズを介して屈折して透過光線として対象上に投射表示されて光照射基準線を呈し、当該屈折鏡面に投射した光ビームは屈折光線となって対象上に投射表示されて光照射基準点を呈するロッドレンズと、を備える、点および線を同期して表示する装置。
【請求項２】
当該ロッドレンズは、当該光照射基準点が対象上に投射表示される位置を調整するために、回転微調整可能で当該ロッドレンズ屈折鏡面の偏向角度を固定する、請求項１記載の点および線を同期して表示する装置。
【請求項３】
当該ロッドレンズの外径面上に、所定幅の屈折鏡面が当該ロッドレンズの軸線と平行となるように平面貼着の反射鏡が切設されて、所定角度で当該光ビームの投射経路を偏向させ、当該光ビームは、当該ロッドレンズを介して屈折して透過光線を呈して対象上に投射表示されて光照射基準線を呈し、当該反射鏡の屈折鏡面に投射した光ビームは、屈折光線となって対象上に投射表示されて光照射基準点を呈するとともに、当該光照射基準点が対象上に投射表示される位置を調整するために、回転微調整可能で当該ロッドレンズ屈折鏡面の偏向角度を固定する、請求項１記載の点および線を同期して表示する装置。
【請求項４】
当該ロッドレンズの外径面上に対応して、所定幅の屈折鏡面が当該ロッドレンズの軸線と平行となるように反射鏡が貼着されて、所定角度で当該レンズモジュールが送出する光ビームの投射経路を偏向させ、当該光ビームは、当該ロッドレンズを介して屈折して透過光線を呈して対象上に投射表示されて光照射基準線を呈し、当該反射鏡の屈折鏡面に投射した光ビームは、屈折光線となって対象上に投射表示されて光照射基準点を呈するとともに、当該光照射基準点が対象上に投射表示される位置を調整するために、回転微調整可能で当該ロッドレンズ屈折鏡面の偏向角度を固定する、請求項１記載の点および線を同期して表示する装置。
【請求項５】
当該ロッドレンズは、当該レンズモジュールが送出する光ビームの幅よりも略小さい予め設定された直径で、当該光ビームの投射経路上に設置されて、当該光ビームが当該ロッドレンズ内に入射されて屈折した透過光線が光照射基準線を呈して対象上に投射表示され、両側の当該ロッドレンズ内に入射しない所定幅の直射光ビームは、対象上に直接投射表示されて２か所の光照射基準点を呈する、請求項１記載の点および線を同期して表示する装置。
【請求項６】
当該ロッドレンズの一方の側の直射光ビームを遮蔽して、単一点光照射基準点を呈するように対象上に投射表示させる、請求項１または５記載の点および線を同期して表示する装置。
【請求項７】
当該ロッドレンズは、当該レンズモジュールが送出する光ビームの投射経路からずれて設置され、当該光ビームの一方の側の所定幅の光ビームは、当該ロッドレンズを介して屈折して透過光線を呈して対象上に投射表示されて光照射基準線を呈し、別の側の所定幅の直射光ビームは、当該ロッドレンズを介することなく直接対象上に投射表示されて光照射基準点を呈する、請求項１記載の点および線を同期して表示する装置。
【発明の詳細な説明】
【技術分野】
【０００１】
本発明は、点及び線を同時に投射表示する光線照射装置に関するものであり、特に、光源発生装置が予め設けられたレンズモジュールを介して対象上の同一位置に点及び線の標示を同時に投射表示する光線照射装置に関するものである。
【背景技術】
【０００２】
公知の標示基準線及び基準点を測定する照射光線表示装置はそれぞれ独立した構成である（特許文献１）。
【先行技術文献】
【特許文献】
【０００３】
【特許文献１】特開２００１−４３７８号公報
【発明の概要】
【発明が解決しようとする課題】
【０００４】
使用面で光照射基準線及び基準点を重畳させて正確な標示及び関連を提供する必要がある場合、通常は、分離設置された点及び線の光照射表示構成であるため、人手により時間と労力を費やして投射精度の重合方位を補正する必要があるが、通常は、人為的な目視の誤差があり、それぞれ独立して構築された異なる調整形態の影響もあるため、光照射点及び線の重畳精度が、投射表示装置が備えているべき精度に達することができず、甚だしい場合には、重畳後の精度が正確であるか否かについて、明確に指示することができるデータがなく不可知であるため、これが欠点となっている。
【０００５】
本発明の主な目的は、照射光線の点及び線を同時に同一の照射光線モジュールの構成において対象上に投射表示させて、人為的に時間や労力を費やした調整操作及び補正の誤差を回避することができる照射光線の点および線を同期して表示する装置を提供することにある。
【０００６】
本発明の次の目的は、照射光線の点及び線を同時に同一の照射光線モジュールの構成において対象上に投射表示させて、公知の場合のそれぞれ構築するコスト、及び予備の管理コストが免除された照射光線の点および線を同期して表示する装置を提供することにある。
【０００７】
本発明の別の目的は、同一の光照射装置が投射表示する基準線及び基準点により、プログラム及び操作を簡易使用可能として、手作業によりコストを低減できる照射光線の点および線を同期して表示する装置を提供することにある。
【０００８】
本発明の更に別の目的は、同一の光照射装置が投射表示する基準線及び基準点により、光照射点及び線を重畳使用する高精度を提供可能な照射光線の点および線を同期して表示する装置を提供することにある。
【課題を解決するための手段】
【０００９】
本発明の技術案は下記の通りである。
照射光線の点および線を同期して表示する装置であり、
電源に接続されて照射光線を生成する光源発生器と、
当該光源発生器の照射光線を受けて、所定幅の光ビームを送出するレンズモジュールと、
外径面上に軸線と平行に所定幅の屈折鏡面が切設されて、当該レンズモジュールが送出した光ビームの投射経路を当該屈折鏡面が予め設定された角度で偏向させるロッドレンズであり、当該光ビームは当該ロッドレンズを介して屈折して透過光線として対象上に投射表示されて光照射基準線を呈し、当該屈折鏡面に投射した光ビームは屈折光線となって対象上に投射表示されて光照射基準点を呈するロッドレンズと、を備える。
【図面の簡単な説明】
【００１０】
【図１】本発明における実施例の上面見取図である。
【図２】図１の外観見取図である。
【図３】本発明における別の実施例の上面見取図である。
【図４】本発明における更に別の実施例の上面見取図である。
【図５】本発明におけるまた別の実施例の上面見取図である。
【図６】本発明におけるその他の実施例の上面見取図である。
【発明を実施するための形態】
【００１１】
ここにおいて、添付された各図面に基づき下記の通り説明することにより、本発明の実行可能な実施例についてより詳細に説明し、それを具体的かつより明確とさせる。
【００１２】
図１、２によれば、本発明は、主に、光源発生器（Ｌａｓｅｒ  ｌｉｇｈｔ  ｓｏｕｒｃｅ）（１）、レンズモジュール（Ｌｅｎｓ）（２）、ロッドレンズ（Ｒｏｄ  ｌｅｎｓ）（３）などの部分により構成される。
【００１３】
当該光源発生器（１）は、電源に接続されて照射光線（１１）を生成し、当該レンズモジュール（２）を介して所定幅を呈する光ビーム（２１）を送出し、当該ロッドレンズ（３）の外径面上には軸線と平行に所定幅の屈折鏡面（３０）が切設されており、当該屈折鏡面（３０）が予め設定された角度で当該光ビーム（２１）の投射経路を偏向させ、当該光ビーム（２１）は、当該ロッドレンズ（３）を介して屈折して透過光線（２２）として対象上に投射表示されて光照射基準線（３１）を呈し、当該屈折鏡面（３０）に投射した光ビーム（２１）は、屈折光線（２３）となって対象上に投射表示されて光照射基準点（３２）を呈する。当該ロッドレンズ（３）は、当該光照射基準点（３２）が対象上に投射表示される位置を調整するために、回転微調整可能で当該ロッドレンズ屈折鏡面（３０）の偏向角度を固定する。
【００１４】
本発明を応用する場合、当該光源発生器（１）、レンズモジュール（２）、ロッドレンズ（３）は、精密な補正により構成されてベース内に固設され（当該構成はベースの工程技術であり、本発明の出願範囲ではないため、ここでは改めて言及せず、図にも表示しない）、当該ベースを機台上に配置して当該光照射基準線（３１）及び当該２つの光照射基準点（３２）の所定の応用角度、つまり操作可能な投射表示使用角度を調整する。
【００１５】
本発明の別の実施例（図３に示されている通り）では、当該ロッドレンズ（３ａ）の外径面上に平面（３０ａ）貼着の反射鏡（３３ａ）が切設されて、当該反射鏡（３３ａ）が所定幅の屈折鏡面（３４ａ）を当該ロッドレンズ（３ａ）の軸線と平行とさせ、かつ当該屈折鏡面（３４ａ）は所定角度で当該光ビーム（２１）の投射経路を偏向させ、当該光ビーム（２１）は、当該ロッドレンズ（３ａ）を介して屈折して透過光線（２２ａ）となって対象上に投射表示されて光照射基準線（３１ａ）を呈し、当該屈折鏡面（３４ａ）の光ビームは、屈折光線（２３ａ）となって対象上に投射表示されて光照射基準点（３２ａ）を呈する。当該ロッドレンズ（３ａ）は、当該光照射基準点（３２ａ）が対象上に投射表示される位置を調整するために、回転微調整可能で当該屈折鏡面（３４ａ）の偏向角度を固定する。
【００１６】
本発明の更に別の実施例（図４に示されている通り）では、当該ロッドレンズ（３ｂ）の外径面上に対応して反射鏡（３３ｂ）が貼着されて、当該反射鏡（３３ｂ）が所定幅の屈折鏡面（３４ｂ）を当該ロッドレンズ（３ｂ）の軸線と平行とさせ、かつ当該屈折鏡面（３４ｂ）が所定角度で当該光ビーム（２１）の投射経路を偏向させ、当該光ビーム（２１）は、当該ロッドレンズ（３ｂ）を介して屈折して透過光線（２２ｂ）となって対象上に投射表示されて光照射基準線（３１ｂ）を呈し、当該屈折鏡面（３４ｂ）に投射した光ビーム（２１）は、屈折光線（２３ｂ）となって対象上に投射表示されて光照射基準点（３２ｂ）を呈する。当該ロッドレンズ（３ｂ）は、当該光照射基準点（３２ｂ）が対象上に投射表示される位置を調整するために、回転微調整可能で当該屈折鏡面（３４ｂ）の偏向角度を固定する。
【００１７】
本発明のまた別の実施例（図５に示されている通り）では、当該ロッドレンズ（３ｃ）は、当該光ビーム（２１）の幅よりも略小さい予め設定された直径で、当該光ビーム（２１）の投射経路上に設置されて、当該光ビーム（２１）が当該ロッドレンズ（３ｃ）に入射されて屈折した透過光線（２２ｃ）が光照射基準線（３１ｃ）を呈して対象上に投射表示され、両側の当該ロッドレンズ（３ｃ）に入射しない所定幅の直射光ビーム（２３ｃ）は、対象上に直接投射表示されて２か所の光照射基準点（３２ｃ）を呈する。一方の側の直射光ビーム（２３ｃ）を遮蔽した場合は、単一点光照射基準点（３２ｃ）を呈するように対象上に投射表示される。
【００１８】
本発明のその他の実施例（図６に示されている通り）では、当該ロッドレンズ（３ｄ）は、当該レンズモジュール（２）が送出する光ビーム（２１）の投射経路上からずれて設置され、当該光ビーム（２１）の一方の側の所定幅の透過光線（２２ｄ）は、当該ロッドレンズ（３ｄ）を介して対象上に投射表示されて光照射基準線（３１ｄ）を呈し、別の側の所定幅の直射光ビーム（２３ｄ）は、当該ロッドレンズ（３ｄ）を介することなく直接対象上に投射表示されて光照射基準点（３２ｄ）を呈する。
【００１９】
以上をまとめると、本発明はすでに見本として作製されており、実際の操作によれば、確かに効果を有しており、公知の構造と比較した場合には、より完璧で、実用性があり、公知の場合の欠点を更に改善しているため、光照射基準線及び光照射基準点を重畳して使用する作業は簡略化され、光照射基準線と光照射基準点とを同時に使用する際の正確性も向上しているとともに、装置の購入及び管理コストも削減されるため、本発明の構造装置は、簡単かつ実用的で、効果を増進させることができるばかりではなく、同一または類似した特徴を有する物品は国内外の刊行物では見受けられずまたは開示して使用されてもいないことを証明するに十分であり、すでに特許要件に合致している。
【００２０】
本発明において説明の便宜を図るために開示されている各構成部材の機能的外観、配置及び全体機能の精神及び範疇について、相当かつ均等な変更や変換または修飾も、本発明と同等の表現範疇であると見なすべきである。
【符号の説明】
【００２１】
１  光源発生器、１１  照射光線、２  レンズモジュール、２１  光ビーム、２２  透過光線、２３  屈折光線、３  ロッドレンズ、３０  屈折鏡面、３１  光照射基準線、３２  光照射基準点、２２ａ  透過光線、２３ａ  屈折光線、３ａ  ロッドレンズ、３０ａ  平面、３１ａ  光照射基準線、３２ａ  光照射基準点、３３ａ  反射鏡、３４ａ  屈折鏡面、２２ｂ  透過光線、２３ｂ  屈折光線、３ｂ  ロッドレンズ、３１ｂ  光照射基準線、３２ｂ  光照射基準点、３３ｂ  反射鏡、３４ｂ  屈折鏡面、２２ｃ  透過光線、２３ｃ  直射光ビーム、３ｃ  ロッドレンズ、３１ｃ  光照射基準線、３２ｃ  光照射基準点、２２ｄ  透過光線、２３ｄ  直射光ビーム、３ｄ  ロッドレンズ、３１ｄ  光照射基準線、３２ｄ  光照射基準点。
【図１】
2009288237.tif 000003
【図２】
2009288237.tif 000004
【図３】
2009288237.tif 000005
【図４】
2009288237.tif 000006
【図５】
2009288237.tif 000007
【図６】
2009288237.tif 000008
【手続補正書】
【提出日】平成21年5月13日(2009.5.13)
【手続補正１】
【補正対象書類名】特許請求の範囲
【補正対象項目名】全文
【補正方法】変更
【補正の内容】
【特許請求の範囲】
【請求項１】
電源に接続されて照射光線を生成する光源と、
前記光源の前記照射光線を受けて、所定幅の光ビームを送出するレンズモジュールと、
外径面上に軸線と平行に所定幅の屈折鏡面が切設されたロッドレンズとを備え、
前記ロッドレンズは、前記レンズモジュールが送出した前記光ビームの投射経路を偏向させ、
前記光ビームは、前記ロッドレンズを介して屈折して透過光線として対象上に投射表示されて光照射基準線を呈し、前記屈折鏡面に投射した前記光ビームは屈折光線となって対象上に投射表示されて光照射基準点を呈する、点および線を同期して表示する装置。
【請求項２】
電源に接続されて照射光線を生成する光源と、
前記光源の前記照射光線を受けて、所定幅の光ビームを送出するレンズモジュールと、
外径面上に、所定幅の屈折鏡面が前記ロッドレンズの軸線と平行となるように、平面貼着の反射鏡が設置されたロッドレンズとを備え、
前記ロッドレンズは、前記レンズモジュールが送出した前記光ビームの投射経路を偏向させ、
前記光ビームは、前記ロッドレンズを介して屈折して透過光線として対象上に投射表示されて光照射基準線を呈し、前記反射鏡の前記屈折鏡面に投射した光ビームは屈折光線となって対象上に投射表示されて光照射基準点を呈する、点および線を同期して表示する装置。
【請求項３】
電源に接続されて照射光線を生成する光源と、
前記光源の前記照射光線を受けて、所定幅の光ビームを送出するレンズモジュールと、
外径面上に対応して、所定幅の屈折鏡面が前記ロッドレンズの軸線と平行となるように反射鏡が貼着されたロッドレンズとを備え、
前記ロッドレンズは、前記レンズモジュールが送出した前記光ビームの投射経路を偏向させ、
前記光ビームは、前記ロッドレンズを介して屈折して透過光線として対象上に投射表示されて光照射基準線を呈し、前記反射鏡の前記屈折鏡面に投射した光ビームは屈折光線となって対象上に投射表示されて光照射基準点を呈する、点および線を同期して表示する装置。
【請求項４】
前記ロッドレンズは、前記光照射基準点が対象上に投射表示される位置を調整するために回転微調整可能であって、前記屈折鏡面の偏向角度は固定されている、請求項１〜３のいずれか１項に記載の点および線を同期して表示する装置。
【請求項５】
電源に接続されて照射光線を生成する光源と、
前記光源の前記照射光線を受けて、所定幅の光ビームを送出するレンズモジュールと、
前記レンズモジュールが送出する光ビームの幅よりも小さい予め設定された直径で、光ビームの投射経路上に設置されたロッドレンズとを備え、
前記光ビームは、前記ロッドレンズ内に入射されて屈折した透過光線が光照射基準線を呈して対象上に投射表示され、両側において前記ロッドレンズ内に入射しない所定幅の直射光ビームは、対象上に直接投射表示されて２か所の光照射基準点を呈する、点および線を同期して表示する装置。
【請求項６】
前記ロッドレンズの一方の側の直射光ビームを遮蔽して、単一点光照射基準点を呈するように対象上に投射表示させる、請求項５記載の点および線を同期して表示する装置。
【請求項７】
電源に接続されて照射光線を生成する光源と、
前記光源の前記照射光線を受けて、所定幅の光ビームを送出するレンズモジュールと、
前記レンズモジュールが送出する光ビームの投射経路からずれて設置されたロッドレンズとを備え、
一方の側の所定幅の光ビームは、前記ロッドレンズを介して屈折して透過光線として対象上に投射表示されて光照射基準線を呈し、別の側の所定幅の直射光ビームは、前記ロッドレンズを介することなく直接対象上に投射表示されて光照射基準点を呈する、点および線を同期して表示する装置。
【手続補正２】
【補正対象書類名】明細書
【補正対象項目名】０００９
【補正方法】変更
【補正の内容】
【０００９】
本発明の一の局面における点および線を同期して表示する装置は、電源に接続されて照射光線を生成する光源と、当該光源の照射光線を受けて、所定幅の光ビームを送出するレンズモジュールと、外径面上に軸線と平行に所定幅の屈折鏡面が切設されたロッドレンズとを備えている。上記ロッドレンズは、レンズモジュールが送出した光ビームの投射経路を偏向させる。そして、光ビームは、ロッドレンズを介して屈折して透過光線として対象上に投射表示されて光照射基準線を呈し、屈折鏡面に投射した光ビームは屈折光線となって対象上に投射表示されて光照射基準点を呈する。
また、本発明の他の局面における点および線を同期して表示する装置は、電源に接続されて照射光線を生成する光源と、当該光源の照射光線を受けて、所定幅の光ビームを送出するレンズモジュールと、外径面上に、所定幅の屈折鏡面がロッドレンズの軸線と平行となるように、平面貼着の反射鏡が設置されたロッドレンズとを備えている。上記ロッドレンズは、レンズモジュールが送出した光ビームの投射経路を偏向させる。そして、光ビームは、ロッドレンズを介して屈折して透過光線として対象上に投射表示されて光照射基準線を呈し、反射鏡の屈折鏡面に投射した光ビームは屈折光線となって対象上に投射表示されて光照射基準点を呈する。
また、本発明のさらに他の局面における点および線を同期して表示する装置は、電源に接続されて照射光線を生成する光源と、当該光源の照射光線を受けて、所定幅の光ビームを送出するレンズモジュールと、外径面上に対応して、所定幅の屈折鏡面がロッドレンズの軸線と平行となるように反射鏡が貼着されたロッドレンズとを備えている。上記ロッドレンズは、レンズモジュールが送出した光ビームの投射経路を偏向させる。そして、光ビームは、ロッドレンズを介して屈折して透過光線として対象上に投射表示されて光照射基準線を呈し、反射鏡の屈折鏡面に投射した光ビームは屈折光線となって対象上に投射表示されて光照射基準点を呈する。
また、本発明の別の局面における点および線を同期して表示する装置は、電源に接続されて照射光線を生成する光源と、当該光源の照射光線を受けて、所定幅の光ビームを送出するレンズモジュールと、レンズモジュールが送出する光ビームの幅よりも小さい予め設定された直径で、光ビームの投射経路上に設置されたロッドレンズとを備えている。そして、光ビームは、ロッドレンズ内に入射されて屈折した透過光線が光照射基準線を呈して対象上に投射表示され、両側においてロッドレンズ内に入射しない所定幅の直射光ビームは、対象上に直接投射表示されて２か所の光照射基準点を呈する。
また、本発明のさらに別の局面における点および線を同期して表示する装置は、電源に接続されて照射光線を生成する光源と、当該光源の照射光線を受けて、所定幅の光ビームを送出するレンズモジュールと、レンズモジュールが送出する光ビームの投射経路からずれて設置されたロッドレンズとを備えている。そして、一方の側の所定幅の光ビームは、ロッドレンズを介して屈折して透過光線として対象上に投射表示されて光照射基準線を呈し、別の側の所定幅の直射光ビームは、ロッドレンズを介することなく直接対象上に投射表示されて光照射基準点を呈する。